(57)【要約】【課題】  空気の吸込み量の過不足の発生を抑えることのできる空気調和機の室内機を提供する。【解決手段】  空気調和機の室内機１は、室内機ケーシング２と、正面パネル６と、移動機構とを備える。室内機ケーシング２には、前面に第１吸込み口２１が設けられる。正面パネル６は、室内機ケーシング２の前面に設けられ、第１吸込み口２１を開閉する。移動機構は、正面パネル６が第１吸込み口２１を閉じた閉状態と、正面パネル６が閉状態から前方へと移動して第１吸込み口２１を開いた第１開状態と、正面パネル６が第１状態からさらに前方へと移動して第１吸込み口２２をさらに大きく開いた第２開状態とに正面パネル６を移動させる。【選択図】      図９
2006052937.tif 000002
【特許請求の範囲】
【請求項１】
前面に吸込み口（２１）が設けられたケーシング（２）と、
前記ケーシング（２）の前面に設けられ前記吸込み口（２１）を開閉する前面パネル（６）と、
前記前面パネル（６）が前記吸込み口（２１）を閉じた閉状態と、前記前面パネル（６）が前記閉状態から前方へと移動して前記吸込み口（２１）を開いた第１開状態と、前記前面パネル（６）が前記第１状態からさらに前方へと移動して前記吸込み口（２１）をさらに大きく開いた第２開状態とに前記前面パネル（６）を移動させる移動機構（７）と、
を備える空気調和機の室内機（１）。
【請求項２】
前記移動機構（７）は、前記前面パネル（６）を前記閉状態から前記第１開状態へと移行させる場合には前記前面パネル（６）を第１方向へ移動させ、前記前面パネル（６）を前記第１開状態から前記第２開状態へと移行させる場合には前記前面パネル（６）を前記第１方向とは異なる第２方向へと移動させる、
請求項１に記載の空気調和機の室内機（１）。
【請求項３】
前記移動機構（７）は、前記前面パネル（６）を前記閉状態から前記第１開状態へと移行させる場合には前記前面パネル（６）を平行移動させ、前記前面パネル（６）を前記第１開状態から前記第２開状態へと移行させる場合には前記前面パネル（６）を回転移動させる、
請求項２に記載の空気調和機の室内機（１）。
【請求項４】
前記移動機構（７）は、
前記前面パネル（６）の両側端にそれぞれ固定されて前記前面パネル（６）を支持する第１支持部材（７１）と、
前記第１支持部材（７１）を平行移動および回転移動可能に支持する第２支持部材（７２）と、
前記第１支持部材（７１）を前記第２支持部材（７２）に対して移動させるモーター（７３）と、
を有する、
請求項３に記載の空気調和機の室内機（１）。
【請求項５】
前記第１支持部材（７１）は、略前後方向に直線状に延びると共に後端部が下方に湾曲したスリット部（７５，７７）を有し、
前記第２支持部材（７２）は、前記スリット部（７５，７７）に挿入されて前記第１支持部材（７１）を支持する支持爪（７２１，７２２）を有する、
請求項４に記載の空気調和機の室内機（１）。
【請求項６】
前記移動機構（７）を制御する制御部（８）と、
複数の運転モードから一の前記運転モードを選択して前記制御部（８）へと指示するための指示装置（９）と、
をさらに備え、
前記制御部（８）は、複数の前記運転モードのうち通常運転モードが指示された場合には前記移動機構（７）を制御して前記前面パネル（６）を前記第１開状態に移行させ、複数の前記運転モードのうち前記通常運転モードとは異なる特殊運転モードが指示された場合には前記移動機構（７）を制御して前記前面パネル（６）を前記第２開状態に移行させる、
請求項１から５のいずれかに記載の空気調和の室内機（１）。
【請求項７】
前記移動機構（７）を制御し、複数の運転モードから選択された一の前記運転モードにて空気調和運転を実行可能な制御部（８）をさらに備え、
前記制御部（８）は、複数の前記運転モードのうち通常運転モードが選択された場合には前記移動機構（７）を制御して前記前面パネル（６）を前記第１開状態に移行させ、複数の前記運転モードのうち前記通常運転モードとは異なる特殊運転モードが選択された場合には前記移動機構（７）を制御して前記前面パネル（６）を前記第２開状態に移行させる、
請求項１から５のいずれかに記載の空気調和の室内機（１）。
【請求項８】
前記ケーシング（２）には、吹出し口（２０）がさらに設けられており、
前記前面パネル（６）は、前記吹出し口（２０）を覆う第１パネル部（６１）と、前記第１パネル部（６１）と一体的に形成され前記吸込み口（２１）を覆う第２パネル部（６２）とを有する、
請求項１から７のいずれかに記載の空気調和機の室内機（１）。
【発明の詳細な説明】
【技術分野】
【０００１】
本発明は、空気調和機の室内機に関する。
【背景技術】
【０００２】
空気調和機に室内機には、ケーシングの前面に設けられた吸込み口を開閉する前面パネルを備えるものがある。この前面パネルは、空気調和機の室内機の運転停止時には、吸込み口を覆うことにより、吸込み口を外部から隠蔽することができ、意匠性を向上させることができる。また、空気調和機の室内機の運転時には、前面パネルが前方へ傾斜するように下端を支点に回転移動して、吸込み口が開かれて空気の吸込みが確保される。（特許文献１参照）。これにより、意匠性と送風性能とを両立させることができる。
【特許文献１】特開平７−９８１２９（第１図）
【発明の開示】
【発明が解決しようとする課題】
【０００３】
しかし、空気調和機の室内機では、運転の内容などの状況に応じて適切な吸込み量が異なる場合が多い。例えば、室内を急速に冷房または暖房したい場合に冷房又は暖房の出力が増大される「パワフル運転」や睡眠時などに運転音が抑えられる「おやすみ運転」などの特殊運転においては、通常の冷房・暖房運転とは異なる吸込み量で空気が吸い込まれる方がより適切な運転が可能である。しかし、上記のような空気調和機においては、前面パネルは運転モードに関係なく同じ開度で前方に移動するため、空気の吸込み量の過不足が生じる恐れがある。上記の例で説明すると、パワフル運転では、通常運転よりも多くの吸込み量が必要であるため、パワフル運転と通常運転とにおいて同じように開閉パネルが開かれる場合には、パワフル運転時の吸込み量が不足して十分に能力を確保できない恐れがある。
【０００４】
本発明の課題は、空気の吸込み量の過不足の発生を抑えることのできる空気調和機を提供することにある。
【課題を解決するための手段】
【０００５】
第１発明にかかる空気調和機の室内機は、ケーシングと、前面パネルと、移動機構とを備える。ケーシングには、前面に吸込み口が設けられる。前面パネルは、ケーシングの前面に設けられ、吸込み口を開閉する。移動機構は、前面パネルが吸込み口を閉じた閉状態と、前面パネルが閉状態から前方へと移動して吸込み口を開いた第１開状態と、前面パネルが第１状態からさらに前方へと移動して吸込み口をさらに大きく開いた第２開状態とに前面パネルを移動させる。
【０００６】
この空気調和機の室内機では、前面パネルが、閉状態において吸込み口を閉じた状態から２段階に前方へ移動して、第１開状態と第２開状態との２段階に吸込み口を開くことができる。このため、多くの空気の吸込み量が必要な場合には、前面パネルを第２開状態とし、第２開状態よりも少ない空気の吸込み量でよい場合には、前面パネルを第１開状態とすることができる。これにより、この空気調和機では、空気の吸込み量の過不足の発生を抑えることができる。なお、第１開状態と第２開状態との２段階だけに限らず、前面パネルが３段階以上に開かれてもよい。
【０００７】
第２発明にかかる空気調和機の室内機は、第１発明の空気調和機の室内機であって、移動機構は、前面パネルを閉状態から第１開状態へと移行させる場合には、前面パネルを第１方向へ移動させる。また、移動機構は、前面パネルを第１開状態から第２開状態へと移行させる場合には、前面パネルを第１方向とは異なる第２方向へと移動させる。
この空気調和機の室内機では、前面パネルは、閉状態から第１開状態へと移行する場合と、第１開状態から第２開状態へと移行する場合とでは、異なる方向に移動することにより異なる動作で移動する。このため、前面パネルが同じ方向に移動する場合よりも開き方の自由度を向上させることができる。
【０００８】
第３発明にかかる空気調和機の室内機は、第２発明の空気調和機の室内機であって、移動機構は、前面パネルを閉状態から第１開状態へと移行させる場合には、前面パネルを平行移動させる。また、移動機構は、前面パネルを第１開状態から第２開状態へと移行させる場合には、前面パネルを回転移動させる。
この空気調和機の室内機では、前面パネルは、平行移動によって閉状態から第１開状態へと移行し、回転移動によって第１開状態から第２開状態へと移行する。このため、平行移動によって吸込み口を開いた状態から回転移動することによって、さらに大きく吸込み口を開くことができる。
【０００９】
第４発明にかかる空気調和機の室内機は、第３発明の空気調和機の室内機であって、移動機構は、第１支持部材と、第２支持部材と、モーターとを有する。第１支持部材は、前面パネルの両側端にそれぞれ固定されて前面パネルを支持する。第２支持部材は、第１支持部材を平行移動および回転移動可能に支持する。モーターは、第１支持部材を第２支持部材に対して移動させる。
この空気調和機の室内機では、第１支持部材は、モーターによって第２支持部材に対して移動して、平行移動および回転移動する。これにより、前面パネルを平行移動および回転移動させて、吸込み口を２段階に開くことができる。
【００１０】
第５発明にかかる空気調和機の室内機は、第４発明の空気調和機の室内機であって、第１支持部材は、略前後方向に直線状に延びると共に後端部が下方に湾曲したスリット部を有する。また、第２支持部材は、スリット部に挿入されて第１支持部材を支持する支持爪を有する。
この空気調和機の室内機では、スリット部と支持爪とが接触した状態で第１支持部材が第２支持部材に対して移動する。このとき、支持爪がスリット部の直線状の部分に接触した状態でスリット部に対して相対的に後方へ移動すると、前面パネルは前方へ平行移動する。そして、支持爪がスリット部の湾曲した部分に到達すると、前面パネルの上端が前方へ傾斜するように回転移動する。このようにして、この空気調和機の室内機では、簡易な機構で前面パネルを平行移動と回転移動との２段階に移動させることができる。
【００１１】
第６発明にかかる空気調和機の室内機は、第１発明から第５発明のいずれかの空気調和機の室内機であって、制御部と、指示装置とをさらに備える。制御部は、移動機構を制御する。指示装置は、複数の運転モードから一の運転モードを選択して制御部へと指示するための装置である。そして、制御部は、複数の運転モードのうち通常運転モードが指示された場合には、移動機構を制御して前面パネルを第１開状態に移行させる。また、制御部は、複数の運転モードのうち通常運転モードとは異なる特殊運転モードが指示された場合には、移動機構を制御して前面パネルを第２開状態に移行させる。
【００１２】
この空気調和機の室内機では、通常運転モードが選択されると前面パネルは第１開状態へ移行し、特殊運転モードが選択されると前面パネルは第２開状態へ移行する。このため、吸込み口の開度を運転モードに応じた開度とすることができ、適切な運転を行うことができる。また、運転モードは、指示装置を用いることによって居住者等が選択することができる。このため、前面パネルが段階的に開くことによる空気調和機の室内機の外観上の変化も居住者等が選択することができる。
【００１３】
第７発明にかかる空気調和機の室内機は、第１発明から第５発明のいずれかの空気調和機の室内機であって、移動機構を制御し複数の運転モードから選択された一の運転モードにて空気調和運転を実行可能な制御部をさらに備える。そして、制御部は、複数の運転モードのうち通常運転モードが選択された場合には移動機構を制御して前面パネルを第１開状態に移行させ、複数の運転モードのうち通常運転モードとは異なる特殊運転モードが選択された場合には移動機構を制御して前面パネルを第２開状態に移行させる。
【００１４】
この空気調和機の室内機では、通常運転モードが選択されると前面パネルは第１開状態へ移行し、特殊運転モードが選択されると前面パネルは第２開状態へ移行する。このため、吸込み口の開度を運転モードに応じた開度とすることができ、適切な運転を行うことができる。
【００１５】
第８発明にかかる空気調和機の室内機は、第１発明から第７発明のいずれかの空気調和機の室内機であって、ケーシングには、吹出し口がさらに設けられている。また、前面パネルは、吹出し口を覆う第１パネル部と、第１パネル部と一体的に形成され吸込み口を覆う第２パネル部とを有する。
【００１６】
この空気調和機の室内機では、閉状態においては、一体の正面パネルによって吸込み口と吹出し口とが閉じられる。このため、閉状態において吸込み口と吹出し口とを外部から見え難くすることができ、空気調和機の室内機の美観を向上させることができる。
【発明の効果】
【００１７】
第１発明にかかる空気調和機の室内機では、多くの空気の吸込み量が必要な場合には、前面パネルを第２開状態とし、第２開状態よりも少ない空気の吸込み量でよい場合には、前面パネルを第１開状態とすることができる。これにより、この空気調和機では、空気の吸込み量の過不足の発生を抑えることができる。
第２発明にかかる空気調和機の室内機では、前面パネルが同じ方向に移動する場合よりも開き方の自由度を向上させることができる。
【００１８】
第３発明にかかる空気調和機の室内機では、平行移動によって吸込み口を開いた状態から回転移動することによって、さらに大きく吸込み口を開くことができる。
第４発明にかかる空気調和機の室内機では、第１支持部材は、モーターによって第２支持部材に対して移動して、平行移動および回転移動する。これにより、前面パネルを平行移動および回転移動させて、吸込み口を２段階に開くことができる。
【００１９】
第５発明にかかる空気調和機の室内機では、スリット部と支持爪とが接触した状態で第１支持部材が第２支持部材に対して移動して、前面パネルは平行移動および回転移動する。このため、この空気調和機の室内機では、簡易な機構で前面パネルを平行移動と回転移動との２段階に移動させることができる。
第６発明にかかる空気調和機の室内機では、吸込み口の開度を運転モードに応じた開度とすることができ、適切な運転を行うことができる。また、前面パネルが段階的に開くことによる空気調和機の室内機の外観上の変化も居住者等が選択することができる。
【００２０】
第７発明にかかる空気調和機の室内機では、吸込み口の開度を運転モードに応じた開度とすることができ、適切な運転を行うことができる。
第８発明にかかる空気調和機の室内機では、閉状態において吸込み口と吹出し口とを外部から見え難くすることができ、空気調和機の室内機の美観を向上させることができる。
【発明を実施するための最良の形態】
【００２１】
本発明の一実施形態にかかる空気調和機の室内機１を図１および図２に示す。図１は空気調和機の室内機１の正面図であり、図２は空気調和機の室内機１の側面図である。この空気調和機の室内機１は、室内の壁面に取り付けられる壁掛け型室内機であり、室内の冷暖房等の空気調和を行う。この空気調和機の室内機１は、室内機ケーシング２（ケーシング）と、送風ファン３（図３参照）、ファンモータ４（図７参照）、水平フラップ５、正面パネル６（前面パネル）、移動機構７（図６参照）、制御部８（図７参照）、リモコン９（指示装置）（図７参照）とを備えている。
【００２２】
［室内機ケーシング］
室内機ケーシング２は、図１に示すように、正面視において水平方向に長い長方形形状を有しており、図３に示すように、室内熱交換器１０、送風ファン３、ファンモータ４、図示しない制御部品などを収容する。室内機ケーシング２の正面には、正面パネル６が取り付けられている。正面パネル６については、後に詳細に説明する。室内機ケーシング２には、吹出し口２０、第１吸込み口２１（吸込み口）および第２吸込み口２２が設けられている。なお、図３は、室内機１の側面断面図である。
【００２３】
吹出し口２０は、室内へと吹き出される空気が通る開口であり、第１ケーシング面２３に設けられている。第１ケーシング面２３は、図２に示すように、室内機ケーシング２の底面の前側部分を構成しており、吹出し口２０は、室内機ケーシング２の下部に設けられている。第１ケーシング面２３は、前端が上方に位置するように傾斜している。吹出し口２０は、室内機ケーシング２の幅Ｗ方向（室内機ケーシング２の長手方向、図１参照）に細長い形状を有しており、水平フラップ５が設けられる。
【００２４】
図３に示す第１吸込み口２１は、室内機ケーシング２内へと取り込まれる空気が通る開口であり、第２ケーシング面２４に設けられている。第２ケーシング面２４は、図２に示すように、室内機ケーシング２の正面すなわち前面を構成しており、第１吸込み口２１は、室内機ケーシング２の正面に設けられる。第２ケーシング面２４は、上下方向に伸びる略平坦な形状となっているが、上端が前方に位置するように僅かに傾斜している。第２ケーシング面２４の下端は、第１ケーシング面２３の上端と連続しており、第２ケーシング面２４は、第１ケーシング面２３に対して所定角度をなしている。すなわち、第１ケーシング面２３と第２ケーシング面２４とは、屈曲した形状となっており、９０度以上１８０度未満の比較的緩やかな角度をなしている。
【００２５】
第２吸込み口２２は、室内機ケーシング２内へと取り込まれる空気が通る開口であり、図４に示すように、室内機ケーシング２の天面２５に設けられている。第２吸込み口２２は、室内機ケーシング２の幅Ｗ方向に伸びる複数のスリットによって構成されている。
［送風ファンおよびファンモータ］
図３に示す送風ファン３は、長細い円筒形状に構成され、中心軸が水平方向に平行になるように配置されたクロスフローファンである。送風ファン３の周面には羽根が設けられており、送風ファン３が中心軸周りに回転することにより、空気流を生成する。この空気流は、第１吸込み口２１および第２吸込み口２２から取り入れられ室内熱交換器１０を通り吹出し口２０から室内へと吹き出す空気の流れである。送風ファン３は、側面視において室内機１の概ね中央に位置している。
ファンモータ４（図７参照）は、送風ファン３を中心軸周りに回転駆動する。ファンモータ４は、室内機１の正面視において送風ファン３の右側方に送風ファン３と同軸に配置されている。送風ファン３は、後述する制御部８によって回転数を制御され、送風ファン３による送風量が制御部８によって制御される。
【００２６】
［水平フラップ］
水平フラップ５は、吹出し口２０を開閉自在に設けられ、吹出し口２０から吹き出される空気を案内する。水平フラップ５は、室内機ケーシング２の幅Ｗ方向に細長い略長方形形状を有し、室内機ケーシング２の幅Ｗ方向に平行な軸を中心に回動自在に吹出し口２０に設けられる。水平フラップ５は、フラップモータ５０（図７参照）によって回転駆動される。水平フラップ５は、吹出し口２０よりも僅かに小さい形状を有するが、図５に示すように、吹出し口２０を閉じる水平フラップ５の上端と室内機ケーシング２との間には、隙間Ｇが設けられている。この隙間Ｇが設けられることによって、水平フラップ５は、吹出し口２０において制限少なく回動可能となっている。なお、図５は、正面パネル６を取り外した状態における室内機１の正面図である。
【００２７】
［正面パネル］
正面パネル６は、室内機ケーシング２の前面に設けられ、室内機ケーシング２から離反するように移動して第１吸込み口２１を開き、室内機ケーシング２に近接するように移動して第１吸込み口２１を閉じることにより第１吸込み口２１を開閉する。また、正面パネル６は、閉状態において、室内機ケーシング２の少なくとも一部と、吹出し口２０を閉じる水平フラップ５の少なくとも一端とを覆い、第１吸込み口２１と吹出し口２０とを閉じる。具体的には、正面パネル６は、図２および図３に示すように、水平フラップ５の長辺をなす上端近傍、第１ケーシング面２３および第２ケーシング面２４の途中までの部分に外側から重なる。従って、正面パネル６は、閉状態において、上述した水平フラップ５の上端と吹出し口２０との間の隙間Ｇを覆う。正面パネル６は、室内機ケーシング２の第１ケーシング面２３および第２ケーシング面２４の屈曲に沿うように屈曲した形状を有している。正面パネル６は、室内機ケーシング２の幅Ｗ方向に吹出し口２０よりも長い形状を有しており、室内機ケーシング２の幅Ｗと略同じ幅Ｗを有する。また、正面パネル６は、図１に示すように、正面視において上下方向に伸びる継ぎ目を有さない。正面パネル６は、第１パネル部６１と第２パネル部６２とを有する。
【００２８】
第１パネル部６１は、正面パネル６の閉状態において、水平フラップ５の上端を覆う部分である。第１パネル部６１は、正面パネル６の下部を構成している。
第２パネル部６２は、正面パネル６の閉状態において、第１吸込み口２１を覆う部分である。第２パネル部６２は、正面パネル６の上部を構成している。
第１パネル部６１の上端と第２パネル部６２の下端とは連続しており、第１パネル部６１と第２パネル部６２とは、正面パネル６の閉状態において、第１ケーシング面２３および第２ケーシング面２４に沿うように所定角度で一体化されている。
なお、正面パネル６は、両側端をそれぞれ第１支持部材７１によって支持されている（図１０参照）。２つの第１支持部材７１は、室内機ケーシング２の両側端に設けられており、それぞれ前後に移動可能に設けられている。これらの第１支持部材７１が移動することによって正面パネル６が移動する。
【００２９】
［移動機構］
図６に示す移動機構７は、第１吸込み口２１が所望の開度で開かれるように正面パネル６を移動させる。移動機構７は、正面パネル６が第１吸込み口２１を閉じた閉状態（図９（ａ）の状態）と、正面パネル６が閉状態から前方へと移動して第１吸込み口２１を開いた第１開状態（図９（ｂ）の状態）と、正面パネル６が第１状態からさらに前方へと移動して第１吸込み口２１をさらに大きく開いた第２開状態（図９（ｃ）の状態）とに正面パネル６を移動させる。正面パネル６が閉状態から第１開状態へと移行する場合には、正面パネル６は平行移動し、正面パネル６が第１開状態から第２開状態へと移行する場合には、正面パネル６は回転移動する。正面パネル６が第１開状態であるとき、第１吸込み口２１は第１開度で開かれる。また、正面パネル６が第２開状態であるとき、第１吸込み口２１は第１開度よりも大きい最大開度である第２開度で開かれる。移動機構７は、第１支持部材７１と、第２支持部材７２と、パネル駆動モーター７３（モーター）（図７参照）を有する。
【００３０】
第１支持部材７１は、正面パネル６の側端に正面パネル６に略垂直に固定されて正面パネル６を支持する板状の部材であり、正面パネル６の左側端と右側端とのそれぞれに設けられる。第１支持部材７１の上端は、前側が上方に位置し後側が下方に位置するように傾斜しており、後述する第２ピニオンギヤ７９と螺合するラックギヤ７４が第１支持部材７１の上端に沿って設けられている。また、第１支持部材７１の中央部分には、第１スリット部７５（スリット部）、第２スリット部７６、第３スリット部７７（スリット部）が設けられている。第１スリット部７５、第２スリット部７６、第３スリット部７７は、それぞれ第１支持部材７１の両面に貫通するスリットであり、第１支持部材７１と同様に前側が上方に位置し後側が下方に位置するように傾斜した形状となっている。第１スリット部７５は、後下方から前上方へ直線状に延びる直線部分７５１と、直線部分７５１の後端に連続し下方に僅かに凹んで湾曲した湾曲部７５２を有している。第２スリット部７６および第３スリット部７７も第１スリット部７５と同様の形状である。第２スリット部７６は第１スリット部７５の下方に位置し、第３スリット部７７は第２スリット部７６の下方に位置している。また、第１スリット部７５、第２スリット部７６、第３スリット部７７はそれぞれ平行に配置されている。
【００３１】
第２支持部材７２は、第１支持部材７１を平行移動および回転移動可能に支持する部材であり、室内機ケーシング２の右側面の内側と左側面の内側にそれぞれ取り付けられている。第２支持部材７２は、互いに螺合する第１ピニオンギヤ７８と第２ピニオンギヤ７９とを有している。第１ピニオンギヤ７８は、パネル駆動モーター７３の回転を第２ピニオンギヤ７９へと伝達する。第２ピニオンギヤ７９は、第１ピニオンギヤ７８から伝達された回転を前述したラックギヤ７４に伝達する。また、第２支持部材７２の中央部付近には、第１支持爪７２１（支持爪）と第２支持爪７２２（支持爪）とが設けられている。第１支持爪７２１は、第２支持部材７２の表面から突出する円筒形状を有しており、第１支持部材７１の第１スリット部７５に挿入される。第１支持爪７２１は、第１スリット部７５に係止して第１支持部材７１を支持する。第２支持爪７２２も、第１支持爪７２１と同様に第２支持部材７２の表面から突出する円筒形状を有しており、第１支持部材７１の第３スリット部７７に挿入される。第２支持爪７２２は、第３スリット部７７に係止して第１支持部材７１を支持する。第１支持爪７２１および第２支持爪７２２は、正面パネル６が開閉動作を行う際に、第１スリット部７５および第２スリット部７６に対して摺動し、前後に移動する正面パネル６を支持する。
【００３２】
図７に示すパネル駆動モーター７３は、制御部８の制御を受けて回転駆動される。パネル駆動モーター７３は、第１ピニオンギヤ７８に回転を伝達し、第１支持部材７１を第２支持部材７２に対して移動させる。
［制御部］
図７に示す制御部８は、後述するリモコン９から指示を受けて、上述した移動機構７のパネル駆動モーター７３、ファンモータ４、フラップモータ５０などを制御する。制御部８が指示を受ける運転モードには、通常の冷房・暖房運転、おやすみ運転、パワフル運転などがある。おやすみ運転は、通常の冷房・暖房運転よりもファンモータ４の駆動音や吸込み空気の風切り音などの運転音を低減させて、室内を静寂に保つ運転モードである。パワフル運転は、通常の冷房・暖房運転よりも冷房・暖房能力を増大させて室内の冷房・暖房を迅速に行う運転モードである。
【００３３】
制御部８は、通常の冷房・暖房運転モードの指令を受けた時は、ファンモータ４を制御して送風ファン３による出力を第１風量とすると共に、パネル駆動モーター７３を制御して正面パネル６を第１開状態に移行させて第１吸込み口２１を第１開度で開く。
また、制御部８は、おやすみ運転の指令を受けた時は、ファンモータ４を制御して、送風ファン３による出力を第１風量よりも小さい第２風量とすると共に、パネル駆動モーター７３を制御して正面パネル６を第２開状態に移行させて第１吸込み口２１を第２開度で開く。
【００３４】
さらに、制御部８は、パワフル運転の指令を受けた時は、ファンモータ４を制御して送風ファン３の出力を第１風量よりも大きい第３風量とすると共に、パネル駆動モーター７３を制御して正面パネル６を第２開状態として、第１吸込み口２１を第２開度で開く。
なお、制御部８は、運転停止の指令を受けた時は、ファンモータ４を制御して送風ファン３を止め、フラップモータを制御して吹出し口２０を閉じると共に、パネル駆動モーター７３を制御して正面パネル６を閉状態とする。
【００３５】
［リモコン］
リモコン９は、居住者等が室内機の運転内容を指示するための装置であり、居住者等はリモコン９上に設けられた複数の操作ボタンを用いて運転内容をリモコン９に入力することができる。リモコン９は、室内機１の電源のオン・オフ、通常暖房運転、通常冷房運転、おやすみ運転、パワフル運転などの運転モードの選択、温度設定、タイマー設定などの入力を受けて指令信号を赤外線通信などの通信手段によって制御部８へ送信する。
【００３６】
＜開閉動作＞
次に、正面パネル６の開閉動作について図８および図９に基づいて詳細に説明する。
空気調和機の室内機１の運転停止時には、水平フラップ５によって吹出し口２０が閉じられると共に正面パネル６が閉状態とされる。閉状態では、図８（ａ）に示すように、第１支持部材７１の第１スリット部７５の前端と第１支持爪７２１とが近接し、第１支持部材７１の第３スリット部７７の前端と第２支持爪７２２とが近接しており、正面パネル６は、図９（ａ）に示すように、第１吸込み口２１を覆うと共に水平フラップ５の上端を覆っている。この閉状態において、第１パネル部６１は、水平フラップ５の上端、水平フラップ５の上端と吹出し口２０との間の隙間Ｇおよび第１ケーシング面２３の吹出し口２０近傍を覆う。また、第２パネル部６２は、第２ケーシング面２４を覆う。正面パネル６は、屈曲した形状を有しており、閉状態では、第１ケーシング面２３および第２ケーシング面２４に沿って、第１ケーシング面２３および第２ケーシング面２４に近接した状態となる。これにより、室内機１の運転停止時に、水平フラップ５の上端から第１吸込み口２１までの部分が外部から隠蔽される。
【００３７】
正面パネル６が閉状態から第１開状態へ移行する場合、第１支持部材７１は、図８（ｂ）に示すように、第１スリット部７５の直線部分７５１の後端が第１支持爪７２１に近接し第３スリット部７７の直線部分７７１の後端が第２支持爪７２２に近接する方向に移動する。このとき、第１スリット部７５の直線部分７５１は第１支持爪７２１に対して摺動し、第３スリット部７７の直線部分７７１は第２支持爪７２２に対して摺動する。これにより、第１支持部材７１は、斜め前上方に平行移動し、正面パネル６は、図９（ｂ）に示すように、斜め前上方へと平行移動する（矢印Ａ１参照）。このとき、第１パネル部６１が第１ケーシング面２３に沿って斜め前上方へと移動すると共に第２パネル部６２が第２ケーシング面２４から離れるように斜め前上方へと移動することによって、正面パネル６は吹出し口２０および第１吸込み口２１を開く。このとき、第１パネル部６１は、下端が吹出し口２０の上端を越える位置まで移動して第１パネル部６１が吹出し口２０からの吹き出しを妨げないようにされると共に、第１パネル部６１が第２パネル部６２と第２ケーシング面２４との間の下部を塞ぐ。そして、吹出し口２０を閉じていた水平フラップ５が回動することによって、吹出し口２０が開かれる。また、この状態においては、図１０に示すように、第２パネル部６２と第２ケーシング面２４との間の上部は開かれており、第１吸込み口２１から取り込まれる空気が通ることができる。なお、第１開状態においては、第２パネル部６２と第２ケーシング面２４との間の両側部は第１支持部材７１によって塞がれており、この第１支持部材７１が目隠し板となって外部から第１吸込み口２１を通して室内機ケーシング２の内部が見えないようにされている。
【００３８】
さらに、正面パネル６が第１開状態から第２開状態へと移行する場合、第１支持部材７１は、図８（ｃ）に示すように、第１スリット部７５の湾曲部７５２が第１支持爪７２１に係止され、第３スリット部７７の湾曲部７７２が第２支持爪７２２に係止されるように移動する。これにより、第１支持部材７１は回転移動し、正面パネル６は、図９（ｂ）に示すように上端が前方へ倒れるように回転移動する（矢印Ａ２参照）。このとき、第１パネル部６１の下端は第１開状態における位置のままであり、正面パネル６が第１パネル部６１の下端を中心に回転することによって、第２パネル部６２の上端が前方へ向けて回転移動する。これにより、第２パネル部６２と第２ケーシング面２４との間の上部がさらに開かれ、第１吸込み口２１がさらに開かれて第２開度となる。
なお、正面パネル６が第２開状態から第１開状態へと移行する場合には、正面パネル６が上記とは逆に回転移動する。また、室内機１の運転停止時には、水平フラップ５が回動して吹出し口２０を閉じた後、正面パネル６が上記とは逆に平行移動して、水平フラップ５の上端から第１吸込み口２１までの部分が再び外部から隠蔽される。
【００３９】
＜特徴＞
（１）
この空気調和機の室内機１では、運転停止時において、水平フラップ５の上端から第１吸込み口２１までの部分が正面パネル６によって隠蔽される。このため、水平フラップ５を回動可能とするための比較的大きな隙間Ｇが外部から見え難くなる。これにより、この空気調和機の室内機１では、インテリア性が向上するなど美観が向上している。
【００４０】
また、上記のような正面パネル６が設けられていない場合にこのような隙間Ｇを正面に露出させないためには、隙間Ｇを小さくすることが必要となるが、この場合、水平フラップ５の回転方向に制限ができる。従って、この空気調和機の室内機１では、そのような水平フラップ５の回転方向の制限が緩和されている。
（４）
この空気調和機の室内機１では、おやすみ運転において第１吸込み口２１が第２開度で開かれると共に風量が第２風量に低減される。これによって、送風ファン３の回転数を抑えることができ、運転音を低減することができる。また、開度が第２開度に増大されることによって、空気の吸込みの圧力損失が低減される。これにより、運転音を低減すると共に開度変更前の空気調和能力を維持することができる。
【００４１】
（５）
この空気調和機の室内機１では、パワフル運転において第１吸込み口２１が第２開度で開かれると共に風量が第３風量に増大される。これにより、空気調和能力を増大させることができる。また、空気の吸込みの圧力損失が低減されることにより、第１開度でパワフル運転が行われる場合よりも低い送風ファン３の回転数や圧縮機の周波数によって、パワフル運転に必要な空気調和能力を出力することができる。これにより、運転音や消費電力の増大を防止することができる。
【００４２】
また、パワフル運転時には、正面パネル６が第２開状態となり正面パネル６が前方へ大きく迫出した状態となる。このため、パワフル運転が行われていることを居住者等に対して視覚的に訴求する効果が生じる。
（４）
この空気調和機の室内機１では、正面パネル６が屈曲した形状となっている。そして、運転を開始した時には吹出し口２０を覆っていた正面パネル６が吹出し口２０を開く位置まで斜め前上方へと直線的に移動することによって、吹出し口２０が開かれると共に第１パネル部６１が、第２パネル部６２と第２ケーシング面２４との間の下端を塞ぐ状態となる。また、正面パネル６が第１開状態から第２開状態へと移行して開度がさらに大きくされる時にも、正面パネル６が下端を中心に回転移動するため、第１パネル部６１が第２パネル部６２と第２ケーシング面２４との間の下端を塞ぐ状態が維持される。このため、第１開状態および第２開状態において、吹出し口２０から吹き出された空気が、第２パネル部６２と第２ケーシング面２４との間の下部を通って再び第１吸込み口２１から吸い込まれるショートサーキットの発生を防止することができる。これにより、ショートサーキットによる室内機の空気調和能力の低下や露付きを防止することができる。
【００４３】
また、ショートサーキットが防止されるため、正面パネル６を比較的大きく移動させることができ、第２パネル部６２と第２ケーシング面２４との間の上部に設けられる開口の面積を大きく確保することができる。
（５）
この空気調和機の室内機１では、上記のように２種類の形状が組み合わされたスリット部７５，７７の形状によって正面パネル６の軌跡が直線形状と円弧形状との２段階に変化する。このため、複雑な機構を構える必要が無く、一つのパネル駆動モーター７３をパルス制御することのみによって正面パネル６の開度調整が可能である。
【００４４】
（６）
空気調和機の室内機１の美観の観点からは、上述したように閉状態が最もインテリア性が高く、美観が高い。そして、第１吸込み口２１の開度が大きいほど、空気調和機の室内機１の外形が変化してインテリア性が低下する。このため、第２開状態が最も美観が低く、第１開状態は第２開状態よりも美観が高い。そして、この空気調和機の室内機１では、リモコン９から運転モードを指示することによって、正面パネル６の状態を閉状態、第１開状態、第２開状態から選択することができる。このため、居住者等は、運転モードを選択することによって、美観の観点から空気調和機の室内機１の外形を選択することも可能である。
【００４５】
＜他の実施形態＞
（１）
上記の実施形態におけるおやすみ運転において、制御部８は、ファンモータ４を制御して送風ファン３の出力を第１風量とすると共にパネル駆動モーター７３を制御して第１吸込み口２１を第２開度で開く制御を行ってもよい。この制御の場合、送風ファン３による風量は通常冷房・暖房運転と同じ第１風量であるが、第１吸込み口２１がより大きく開かれることにより、吸い込み空気の風切り音が低減され、運転音が低減される。
【００４６】
（２）
上記の実施形態では、円滑な開閉動作のために正面パネル６の下端の長さが短くなっており、水平フラップ５の下端近傍は正面パネル６によって覆われていない。しかし、美観向上の観点からは、正面パネル６が水平フラップ５の全体を覆うものであってもよい。
逆に、閉状態の正面パネル６は、美観の観点からは第１吸込み口２１および吹出し口２０の出来るだけ広い範囲を覆うものがよいが、必ずしも第１吸込み口２１および吹出し口２０の全てを完全に覆うものに限られず、第１吸込み口２１および吹出し口２０の少なくとも一部を覆うものであればよい。
【００４７】
また、閉状態の正面パネル６は、第１吹出し口２０を閉じた状態であるが、必ずしも完全に密封した状態に限られず、若干の開度で開いている場合を除外するものではない。
（４）
上記の実施形態においては第２開度は第１吸込み口２１の最大開度であるが、第２開度が最大開度ではなく、第１吸込み口２１がより大きな開度で開くことが可能であってもよい。例えば、他の運転モードやフィルターのメンテナンス時または正面パネル６の取り外し時などにおいて、第１吸込み口２１が第２開度よりもさらに大きく開かれるものであってもよい。また、第２開度が最大開度である場合でも、正面パネル６に若干の遊びが設けられており手動で第２開度よりもさらに大きく開くことができるものであってもよい。
【００４８】
（５）
上記の実施形態における運転モードと異なる他の運転モードがリモコン９から指示されてもよく、空気調和機の室内機１の美観の観点から選択される運転モードが備えられてもよい。例えば、居住者が睡眠中であって室内機１の外観が気にならない場合に選択される夜間運転モードや、居住者が室内に不在であって室内機１の外観が気にならない場合に室内の換気などを行う不在時運転モードなどが選択可能とされてもよい。このような運転モードが選択された場合は、正面パネル６が第２開状態とされる。居住者等が室内機１の外観を気にしない場合に選択される運転モードであるため、第１吸込み口２１を大きく開いてファンモータ４の回転数や圧縮機の周波数を低減させて消費電力を低減することができる。
【００４９】
（６）
上記の実施形態では、正面パネル６は閉状態から、第１開状態および第２開状態の２つの開状態に変化するが、３つ以上の開状態に変化するものであってもよく、第１吸込み口２１が３段階以上の段階で開かれるものであってもよい。
また、上記の実施形態では、パワフル運転時とおやすみ運転時とでは、第１吸込み口２１が同じ第２開度で開かれるが、異なる開度で開かれてもよい。
【００５０】
さらに、上記の実施形態では、同一の運転モードにおいては第１吸込み口２１は同じ開度で開かれているが、同一の運転モードにおいて第１吸込み口２１の開度が調整されてもよい。これにより、運転状況に応じたよりきめ細かい開度調整が可能である。
（７）
上記の実施形態では、正面パネル６は、平行移動と回転移動との２つの態様で移動するが、移動の態様はこれらに限られない。また、正面パネル６が閉状態から第１開状態へと移行する場合には正面パネル６の軌跡は厳密に直線状である必要はなく、若干湾曲した曲線状であってもよい。さらに、正面パネル６が第１開状態から第２開状態へと移行する場合には正面パネル６の軌跡は厳密に円弧状である必要はなく円弧状ではない曲線状であってもよい。
【００５１】
（８）
上記の実施形態では、リモコン９によって使用者が選択した運転モードに応じて第１吸込み口２１の開度が調整されているが、自動運転などのように制御部８によって自動的に選択された運転モードに応じて第１吸込み口２１の開度が調整されてもよい。例えば、空気調和機の室内機１の起動時と、起動後に所定時間が経過した安定時とで運転モードが自動的に変更され、変更された運転モードに応じて第１吸込み口２１の開度が変更されてもよい。
【００５２】
（９）
上記の実施形態では、運転モード毎に対応して第１吸込み口２１の開度が調整されているが、１つの運転モードの中で一連の動作として第１吸込み口２１の開度が変更されてもよい。例えば、ある運転モードにおいて、温度の変化、風量の変化、時間の経過などに応じて第１吸込み口２１の開度が変更されてもよい。
【産業上の利用可能性】
【００５３】
本発明は、空気の吸込み量の過不足の発生を抑えることのできる効果を有し、空気調和機の室内機として有用である。
【図面の簡単な説明】
【００５４】
【図１】空気調和機の室内機の正面図。
【図２】空気調和機の室内機の側面図。
【図３】図１におけるIII−III断面図。
【図４】空気調和機の室内機の外観斜視図。
【図５】正面パネルが取り外された空気調和機の室内機の正面図。
【図６】移動機構の構造を示す図。
【図７】空気調和機の室内機の制御ブロック図。
【図８】開閉動作時の移動機構の動作を示す図。
【図９】開閉動作時の正面パネルの動作を示す図。
【図１０】第１開状態における空気調和機の室内機の外観斜視図。
【符号の説明】
【００５５】
１      空気調和機の室内機
２      室内機ケーシング（ケーシング）
６      正面パネル（前面パネル）
７      移動機構
８      制御部
９      リモコン（指示装置）
２０    吹出し口
２１    第１吸込み口（吸込み口）
６１    第１パネル部
６２    第２パネル部
７１    第１支持部材
７２    第２支持部材
７３    パネル駆動モーター（モーター）
７５    第１スリット部（スリット部）
７７    第３スリット部（スリット部）
７２１  第１支持爪（支持爪）
７２２  第２支持爪（支持爪）
【図１】
2006052937.tif 000003
【図２】
2006052937.tif 000004
【図３】
2006052937.tif 000005
【図４】
2006052937.tif 000006
【図５】
2006052937.tif 000007
【図６】
2006052937.tif 000008
【図７】
2006052937.tif 000009
【図８】
2006052937.tif 000010
【図９】
2006052937.tif 000011
【図１０】
2006052937.tif 000012
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
前面に吸込み口（２１）が設けられたケーシング（２）と、
前記ケーシング（２）の前面に設けられ前記吸込み口（２１）を開閉する前面パネル（６）と、
前記前面パネル（６）が前記吸込み口（２１）を閉じた閉状態と、前記前面パネル（６）が前記閉状態から前方へと移動して前記吸込み口（２１）を開いた第１開状態と、前記前面パネル（６）が前記第１状態からさらに前方へと移動して前記吸込み口（２１）をさらに大きく開いた第２開状態とに前記前面パネル（６）を移動させる移動機構（７）と、
を備え、
前記移動機構（７）は、前記前面パネル（６）を前記閉状態から前記第１開状態へと移行させる場合には前記前面パネル（６）を第１方向へ移動させ、前記前面パネル（６）を前記第１開状態から前記第２開状態へと移行させる場合には前記前面パネル（６）を前記第１方向とは異なる第２方向へと移動させる、
空気調和機の室内機（１）。
【請求項２】
前記移動機構（７）は、前記前面パネル（６）を前記閉状態から前記第１開状態へと移行させる場合には前記前面パネル（６）を平行移動させ、前記前面パネル（６）を前記第１開状態から前記第２開状態へと移行させる場合には前記前面パネル（６）を回転移動させる、
請求項１に記載の空気調和機の室内機（１）。
【請求項３】
前記移動機構（７）は、
前記前面パネル（６）の両側端にそれぞれ固定されて前記前面パネル（６）を支持する第１支持部材（７１）と、
前記第１支持部材（７１）を平行移動および回転移動可能に支持する第２支持部材（７２）と、
前記第１支持部材（７１）を前記第２支持部材（７２）に対して移動させるモーター（７３）と、
を有する、
請求項２に記載の空気調和機の室内機（１）。
【請求項４】
前記第１支持部材（７１）は、略前後方向に直線状に延びると共に後端部が下方に湾曲したスリット部（７５，７７）を有し、
前記第２支持部材（７２）は、前記スリット部（７５，７７）に挿入されて前記第１支持部材（７１）を支持する支持爪（７２１，７２２）を有する、
請求項３に記載の空気調和機の室内機（１）。
【請求項５】
前記移動機構（７）を制御する制御部（８）と、
複数の運転モードから一の前記運転モードを選択して前記制御部（８）へと指示するための指示装置（９）と、
をさらに備え、
前記制御部（８）は、複数の前記運転モードのうち通常運転モードが指示された場合には前記移動機構（７）を制御して前記前面パネル（６）を前記第１開状態に移行させ、複数の前記運転モードのうち前記通常運転モードとは異なる特殊運転モードが指示された場合には前記移動機構（７）を制御して前記前面パネル（６）を前記第２開状態に移行させる、
請求項１から４のいずれかに記載の空気調和の室内機（１）。
【請求項６】
前記移動機構（７）を制御し、複数の運転モードから選択された一の前記運転モードにて空気調和運転を実行可能な制御部（８）をさらに備え、
前記制御部（８）は、複数の前記運転モードのうち通常運転モードが選択された場合には前記移動機構（７）を制御して前記前面パネル（６）を前記第１開状態に移行させ、複数の前記運転モードのうち前記通常運転モードとは異なる特殊運転モードが選択された場合には前記移動機構（７）を制御して前記前面パネル（６）を前記第２開状態に移行させる、
請求項１から４のいずれかに記載の空気調和の室内機（１）。
【請求項７】
前記ケーシング（２）には、吹出し口（２０）がさらに設けられており、
前記前面パネル（６）は、前記吹出し口（２０）を覆う第１パネル部（６１）と、前記第１パネル部（６１）と一体的に形成され前記吸込み口（２１）を覆う第２パネル部（６２）とを有する、
請求項１から６のいずれかに記載の空気調和機の室内機（１）。
【手続補正２】
【補正対象書類名】明細書
【補正対象項目名】全文
【補正方法】変更
【補正の内容】
【発明の詳細な説明】
【技術分野】
【０００１】
本発明は、空気調和機の室内機に関する。
【背景技術】
【０００２】
空気調和機に室内機には、ケーシングの前面に設けられた吸込み口を開閉する前面パネルを備えるものがある。この前面パネルは、空気調和機の室内機の運転停止時には、吸込み口を覆うことにより、吸込み口を外部から隠蔽することができ、意匠性を向上させることができる。また、空気調和機の室内機の運転時には、前面パネルが前方へ傾斜するように下端を支点に回転移動して、吸込み口が開かれて空気の吸込みが確保される。（特許文献１参照）。これにより、意匠性と送風性能とを両立させることができる。
【特許文献１】特開平７−９８１２９（第１図）
【発明の開示】
【発明が解決しようとする課題】
【０００３】
しかし、空気調和機の室内機では、運転の内容などの状況に応じて適切な吸込み量が異なる場合が多い。例えば、室内を急速に冷房または暖房したい場合に冷房又は暖房の出力が増大される「パワフル運転」や睡眠時などに運転音が抑えられる「おやすみ運転」などの特殊運転においては、通常の冷房・暖房運転とは異なる吸込み量で空気が吸い込まれる方がより適切な運転が可能である。しかし、上記のような空気調和機においては、前面パネルは運転モードに関係なく同じ開度で前方に移動するため、空気の吸込み量の過不足が生じる恐れがある。上記の例で説明すると、パワフル運転では、通常運転よりも多くの吸込み量が必要であるため、パワフル運転と通常運転とにおいて同じように開閉パネルが開かれる場合には、パワフル運転時の吸込み量が不足して十分に能力を確保できない恐れがある。
【０００４】
本発明の課題は、空気の吸込み量の過不足の発生を抑えることのできる空気調和機を提供することにある。
【課題を解決するための手段】
【０００５】
第１発明にかかる空気調和機の室内機は、ケーシングと、前面パネルと、移動機構とを備える。ケーシングには、前面に吸込み口が設けられる。前面パネルは、ケーシングの前面に設けられ、吸込み口を開閉する。移動機構は、前面パネルが吸込み口を閉じた閉状態と、前面パネルが閉状態から前方へと移動して吸込み口を開いた第１開状態と、前面パネルが第１状態からさらに前方へと移動して吸込み口をさらに大きく開いた第２開状態とに前面パネルを移動させる。そして、移動機構は、前面パネルを閉状態から第１開状態へと移行させる場合には、前面パネルを第１方向へ移動させる。また、移動機構は、前面パネルを第１開状態から第２開状態へと移行させる場合には、前面パネルを第１方向とは異なる第２方向へと移動させる。
【０００６】
この空気調和機の室内機では、前面パネルが、閉状態において吸込み口を閉じた状態から２段階に前方へ移動して、第１開状態と第２開状態との２段階に吸込み口を開くことができる。このため、多くの空気の吸込み量が必要な場合には、前面パネルを第２開状態とし、第２開状態よりも少ない空気の吸込み量でよい場合には、前面パネルを第１開状態とすることができる。これにより、この空気調和機では、空気の吸込み量の過不足の発生を抑えることができる。なお、第１開状態と第２開状態との２段階だけに限らず、前面パネルが３段階以上に開かれてもよい。
また、この空気調和機の室内機では、前面パネルは、閉状態から第１開状態へと移行する場合と、第１開状態から第２開状態へと移行する場合とでは、異なる方向に移動することにより異なる動作で移動する。このため、前面パネルが同じ方向に移動する場合よりも開き方の自由度を向上させることができる。
【０００７】
第２発明にかかる空気調和機の室内機は、第１発明の空気調和機の室内機であって、移動機構は、前面パネルを閉状態から第１開状態へと移行させる場合には、前面パネルを平行移動させる。また、移動機構は、前面パネルを第１開状態から第２開状態へと移行させる場合には、前面パネルを回転移動させる。
この空気調和機の室内機では、前面パネルは、平行移動によって閉状態から第１開状態へと移行し、回転移動によって第１開状態から第２開状態へと移行する。このため、平行移動によって吸込み口を開いた状態から回転移動することによって、さらに大きく吸込み口を開くことができる。
【０００８】
第３発明にかかる空気調和機の室内機は、第２発明の空気調和機の室内機であって、移動機構は、第１支持部材と、第２支持部材と、モーターとを有する。第１支持部材は、前面パネルの両側端にそれぞれ固定されて前面パネルを支持する。第２支持部材は、第１支持部材を平行移動および回転移動可能に支持する。モーターは、第１支持部材を第２支持部材に対して移動させる。
この空気調和機の室内機では、第１支持部材は、モーターによって第２支持部材に対して移動して、平行移動および回転移動する。これにより、前面パネルを平行移動および回転移動させて、吸込み口を２段階に開くことができる。
【０００９】
第４発明にかかる空気調和機の室内機は、第３発明の空気調和機の室内機であって、第１支持部材は、略前後方向に直線状に延びると共に後端部が下方に湾曲したスリット部を有する。また、第２支持部材は、スリット部に挿入されて第１支持部材を支持する支持爪を有する。
【００１０】
この空気調和機の室内機では、スリット部と支持爪とが接触した状態で第１支持部材が第２支持部材に対して移動する。このとき、支持爪がスリット部の直線状の部分に接触した状態でスリット部に対して相対的に後方へ移動すると、前面パネルは前方へ平行移動する。そして、支持爪がスリット部の湾曲した部分に到達すると、前面パネルの上端が前方へ傾斜するように回転移動する。このようにして、この空気調和機の室内機では、簡易な機構で前面パネルを平行移動と回転移動との２段階に移動させることができる。
【００１１】
第５発明にかかる空気調和機の室内機は、第１発明から第４発明のいずれかの空気調和機の室内機であって、制御部と、指示装置とをさらに備える。制御部は、移動機構を制御する。指示装置は、複数の運転モードから一の運転モードを選択して制御部へと指示するための装置である。そして、制御部は、複数の運転モードのうち通常運転モードが指示された場合には、移動機構を制御して前面パネルを第１開状態に移行させる。また、制御部は、複数の運転モードのうち通常運転モードとは異なる特殊運転モードが指示された場合には、移動機構を制御して前面パネルを第２開状態に移行させる。
【００１２】
この空気調和機の室内機では、通常運転モードが選択されると前面パネルは第１開状態へ移行し、特殊運転モードが選択されると前面パネルは第２開状態へ移行する。このため、吸込み口の開度を運転モードに応じた開度とすることができ、適切な運転を行うことができる。また、運転モードは、指示装置を用いることによって居住者等が選択することができる。このため、前面パネルが段階的に開くことによる空気調和機の室内機の外観上の変化も居住者等が選択することができる。
【００１３】
第６発明にかかる空気調和機の室内機は、第１発明から第４発明のいずれかの空気調和機の室内機であって、移動機構を制御し複数の運転モードから選択された一の運転モードにて空気調和運転を実行可能な制御部をさらに備える。そして、制御部は、複数の運転モードのうち通常運転モードが選択された場合には移動機構を制御して前面パネルを第１開状態に移行させ、複数の運転モードのうち通常運転モードとは異なる特殊運転モードが選択された場合には移動機構を制御して前面パネルを第２開状態に移行させる。
この空気調和機の室内機では、通常運転モードが選択されると前面パネルは第１開状態へ移行し、特殊運転モードが選択されると前面パネルは第２開状態へ移行する。このため、吸込み口の開度を運転モードに応じた開度とすることができ、適切な運転を行うことができる。
【００１４】
第７発明にかかる空気調和機の室内機は、第１発明から第６発明のいずれかの空気調和機の室内機であって、ケーシングには、吹出し口がさらに設けられている。また、前面パネルは、吹出し口を覆う第１パネル部と、第１パネル部と一体的に形成され吸込み口を覆う第２パネル部とを有する。
【００１５】
この空気調和機の室内機では、閉状態においては、一体の正面パネルによって吸込み口と吹出し口とが閉じられる。このため、閉状態において吸込み口と吹出し口とを外部から見え難くすることができ、空気調和機の室内機の美観を向上させることができる。
【発明の効果】
【００１６】
第１発明にかかる空気調和機の室内機では、多くの空気の吸込み量が必要な場合には、前面パネルを第２開状態とし、第２開状態よりも少ない空気の吸込み量でよい場合には、前面パネルを第１開状態とすることができる。これにより、この空気調和機では、空気の吸込み量の過不足の発生を抑えることができる。
また、前面パネルが同じ方向に移動する場合よりも開き方の自由度を向上させることができる。
【００１７】
第２発明にかかる空気調和機の室内機では、平行移動によって吸込み口を開いた状態から回転移動することによって、さらに大きく吸込み口を開くことができる。
第３発明にかかる空気調和機の室内機では、第１支持部材は、モーターによって第２支持部材に対して移動して、平行移動および回転移動する。これにより、前面パネルを平行移動および回転移動させて、吸込み口を２段階に開くことができる。
【００１８】
第４発明にかかる空気調和機の室内機では、スリット部と支持爪とが接触した状態で第１支持部材が第２支持部材に対して移動して、前面パネルは平行移動および回転移動する。このため、この空気調和機の室内機では、簡易な機構で前面パネルを平行移動と回転移動との２段階に移動させることができる。
第５発明にかかる空気調和機の室内機では、吸込み口の開度を運転モードに応じた開度とすることができ、適切な運転を行うことができる。また、前面パネルが段階的に開くことによる空気調和機の室内機の外観上の変化も居住者等が選択することができる。
【００１９】
第６発明にかかる空気調和機の室内機では、吸込み口の開度を運転モードに応じた開度とすることができ、適切な運転を行うことができる。
第７発明にかかる空気調和機の室内機では、閉状態において吸込み口と吹出し口とを外部から見え難くすることができ、空気調和機の室内機の美観を向上させることができる。
【発明を実施するための最良の形態】
【００２０】
本発明の一実施形態にかかる空気調和機の室内機１を図１および図２に示す。図１は空気調和機の室内機１の正面図であり、図２は空気調和機の室内機１の側面図である。この空気調和機の室内機１は、室内の壁面に取り付けられる壁掛け型室内機であり、室内の冷暖房等の空気調和を行う。この空気調和機の室内機１は、室内機ケーシング２（ケーシング）と、送風ファン３（図３参照）、ファンモータ４（図７参照）、水平フラップ５、正面パネル６（前面パネル）、移動機構７（図６参照）、制御部８（図７参照）、リモコン９（指示装置）（図７参照）とを備えている。
【００２１】
［室内機ケーシング］
室内機ケーシング２は、図１に示すように、正面視において水平方向に長い長方形形状を有しており、図３に示すように、室内熱交換器１０、送風ファン３、ファンモータ４、図示しない制御部品などを収容する。室内機ケーシング２の正面には、正面パネル６が取り付けられている。正面パネル６については、後に詳細に説明する。室内機ケーシング２には、吹出し口２０、第１吸込み口２１（吸込み口）および第２吸込み口２２が設けられている。なお、図３は、室内機１の側面断面図である。
【００２２】
吹出し口２０は、室内へと吹き出される空気が通る開口であり、第１ケーシング面２３に設けられている。第１ケーシング面２３は、図２に示すように、室内機ケーシング２の底面の前側部分を構成しており、吹出し口２０は、室内機ケーシング２の下部に設けられている。第１ケーシング面２３は、前端が上方に位置するように傾斜している。吹出し口２０は、室内機ケーシング２の幅Ｗ方向（室内機ケーシング２の長手方向、図１参照）に細長い形状を有しており、水平フラップ５が設けられる。
【００２３】
図３に示す第１吸込み口２１は、室内機ケーシング２内へと取り込まれる空気が通る開口であり、第２ケーシング面２４に設けられている。第２ケーシング面２４は、図２に示すように、室内機ケーシング２の正面すなわち前面を構成しており、第１吸込み口２１は、室内機ケーシング２の正面に設けられる。第２ケーシング面２４は、上下方向に伸びる略平坦な形状となっているが、上端が前方に位置するように僅かに傾斜している。第２ケーシング面２４の下端は、第１ケーシング面２３の上端と連続しており、第２ケーシング面２４は、第１ケーシング面２３に対して所定角度をなしている。すなわち、第１ケーシング面２３と第２ケーシング面２４とは、屈曲した形状となっており、９０度以上１８０度未満の比較的緩やかな角度をなしている。
【００２４】
第２吸込み口２２は、室内機ケーシング２内へと取り込まれる空気が通る開口であり、図４に示すように、室内機ケーシング２の天面２５に設けられている。第２吸込み口２２は、室内機ケーシング２の幅Ｗ方向に伸びる複数のスリットによって構成されている。
［送風ファンおよびファンモータ］
図３に示す送風ファン３は、長細い円筒形状に構成され、中心軸が水平方向に平行になるように配置されたクロスフローファンである。送風ファン３の周面には羽根が設けられており、送風ファン３が中心軸周りに回転することにより、空気流を生成する。この空気流は、第１吸込み口２１および第２吸込み口２２から取り入れられ室内熱交換器１０を通り吹出し口２０から室内へと吹き出す空気の流れである。送風ファン３は、側面視において室内機１の概ね中央に位置している。
ファンモータ４（図７参照）は、送風ファン３を中心軸周りに回転駆動する。ファンモータ４は、室内機１の正面視において送風ファン３の右側方に送風ファン３と同軸に配置されている。送風ファン３は、後述する制御部８によって回転数を制御され、送風ファン３による送風量が制御部８によって制御される。
【００２５】
［水平フラップ］
水平フラップ５は、吹出し口２０を開閉自在に設けられ、吹出し口２０から吹き出される空気を案内する。水平フラップ５は、室内機ケーシング２の幅Ｗ方向に細長い略長方形形状を有し、室内機ケーシング２の幅Ｗ方向に平行な軸を中心に回動自在に吹出し口２０に設けられる。水平フラップ５は、フラップモータ５０（図７参照）によって回転駆動される。水平フラップ５は、吹出し口２０よりも僅かに小さい形状を有するが、図５に示すように、吹出し口２０を閉じる水平フラップ５の上端と室内機ケーシング２との間には、隙間Ｇが設けられている。この隙間Ｇが設けられることによって、水平フラップ５は、吹出し口２０において制限少なく回動可能となっている。なお、図５は、正面パネル６を取り外した状態における室内機１の正面図である。
【００２６】
［正面パネル］
正面パネル６は、室内機ケーシング２の前面に設けられ、室内機ケーシング２から離反するように移動して第１吸込み口２１を開き、室内機ケーシング２に近接するように移動して第１吸込み口２１を閉じることにより第１吸込み口２１を開閉する。また、正面パネル６は、閉状態において、室内機ケーシング２の少なくとも一部と、吹出し口２０を閉じる水平フラップ５の少なくとも一端とを覆い、第１吸込み口２１と吹出し口２０とを閉じる。具体的には、正面パネル６は、図２および図３に示すように、水平フラップ５の長辺をなす上端近傍、第１ケーシング面２３および第２ケーシング面２４の途中までの部分に外側から重なる。従って、正面パネル６は、閉状態において、上述した水平フラップ５の上端と吹出し口２０との間の隙間Ｇを覆う。正面パネル６は、室内機ケーシング２の第１ケーシング面２３および第２ケーシング面２４の屈曲に沿うように屈曲した形状を有している。正面パネル６は、室内機ケーシング２の幅Ｗ方向に吹出し口２０よりも長い形状を有しており、室内機ケーシング２の幅Ｗと略同じ幅Ｗを有する。また、正面パネル６は、図１に示すように、正面視において上下方向に伸びる継ぎ目を有さない。正面パネル６は、第１パネル部６１と第２パネル部６２とを有する。
【００２７】
第１パネル部６１は、正面パネル６の閉状態において、水平フラップ５の上端を覆う部分である。第１パネル部６１は、正面パネル６の下部を構成している。
第２パネル部６２は、正面パネル６の閉状態において、第１吸込み口２１を覆う部分である。第２パネル部６２は、正面パネル６の上部を構成している。
第１パネル部６１の上端と第２パネル部６２の下端とは連続しており、第１パネル部６１と第２パネル部６２とは、正面パネル６の閉状態において、第１ケーシング面２３および第２ケーシング面２４に沿うように所定角度で一体化されている。
【００２８】
なお、正面パネル６は、両側端をそれぞれ第１支持部材７１によって支持されている（図１０参照）。２つの第１支持部材７１は、室内機ケーシング２の両側端に設けられており、それぞれ前後に移動可能に設けられている。これらの第１支持部材７１が移動することによって正面パネル６が移動する。
［移動機構］
図６に示す移動機構７は、第１吸込み口２１が所望の開度で開かれるように正面パネル６を移動させる。移動機構７は、正面パネル６が第１吸込み口２１を閉じた閉状態（図９（ａ）の状態）と、正面パネル６が閉状態から前方へと移動して第１吸込み口２１を開いた第１開状態（図９（ｂ）の状態）と、正面パネル６が第１状態からさらに前方へと移動して第１吸込み口２１をさらに大きく開いた第２開状態（図９（ｃ）の状態）とに正面パネル６を移動させる。正面パネル６が閉状態から第１開状態へと移行する場合には、正面パネル６は平行移動し、正面パネル６が第１開状態から第２開状態へと移行する場合には、正面パネル６は回転移動する。正面パネル６が第１開状態であるとき、第１吸込み口２１は第１開度で開かれる。また、正面パネル６が第２開状態であるとき、第１吸込み口２１は第１開度よりも大きい最大開度である第２開度で開かれる。移動機構７は、第１支持部材７１と、第２支持部材７２と、パネル駆動モーター７３（モーター）（図７参照）を有する。
【００２９】
第１支持部材７１は、正面パネル６の側端に正面パネル６に略垂直に固定されて正面パネル６を支持する板状の部材であり、正面パネル６の左側端と右側端とのそれぞれに設けられる。第１支持部材７１の上端は、前側が上方に位置し後側が下方に位置するように傾斜しており、後述する第２ピニオンギヤ７９と螺合するラックギヤ７４が第１支持部材７１の上端に沿って設けられている。また、第１支持部材７１の中央部分には、第１スリット部７５（スリット部）、第２スリット部７６、第３スリット部７７（スリット部）が設けられている。第１スリット部７５、第２スリット部７６、第３スリット部７７は、それぞれ第１支持部材７１の両面に貫通するスリットであり、第１支持部材７１と同様に前側が上方に位置し後側が下方に位置するように傾斜した形状となっている。第１スリット部７５は、後下方から前上方へ直線状に延びる直線部分７５１と、直線部分７５１の後端に連続し下方に僅かに凹んで湾曲した湾曲部７５２を有している。第２スリット部７６および第３スリット部７７も第１スリット部７５と同様の形状である。第２スリット部７６は第１スリット部７５の下方に位置し、第３スリット部７７は第２スリット部７６の下方に位置している。また、第１スリット部７５、第２スリット部７６、第３スリット部７７はそれぞれ平行に配置されている。
【００３０】
第２支持部材７２は、第１支持部材７１を平行移動および回転移動可能に支持する部材であり、室内機ケーシング２の右側面の内側と左側面の内側にそれぞれ取り付けられている。第２支持部材７２は、互いに螺合する第１ピニオンギヤ７８と第２ピニオンギヤ７９とを有している。第１ピニオンギヤ７８は、パネル駆動モーター７３の回転を第２ピニオンギヤ７９へと伝達する。第２ピニオンギヤ７９は、第１ピニオンギヤ７８から伝達された回転を前述したラックギヤ７４に伝達する。また、第２支持部材７２の中央部付近には、第１支持爪７２１（支持爪）と第２支持爪７２２（支持爪）とが設けられている。第１支持爪７２１は、第２支持部材７２の表面から突出する円筒形状を有しており、第１支持部材７１の第１スリット部７５に挿入される。第１支持爪７２１は、第１スリット部７５に係止して第１支持部材７１を支持する。第２支持爪７２２も、第１支持爪７２１と同様に第２支持部材７２の表面から突出する円筒形状を有しており、第１支持部材７１の第３スリット部７７に挿入される。第２支持爪７２２は、第３スリット部７７に係止して第１支持部材７１を支持する。第１支持爪７２１および第２支持爪７２２は、正面パネル６が開閉動作を行う際に、第１スリット部７５および第２スリット部７６に対して摺動し、前後に移動する正面パネル６を支持する。
【００３１】
図７に示すパネル駆動モーター７３は、制御部８の制御を受けて回転駆動される。パネル駆動モーター７３は、第１ピニオンギヤ７８に回転を伝達し、第１支持部材７１を第２支持部材７２に対して移動させる。
【００３２】
［制御部］
図７に示す制御部８は、後述するリモコン９から指示を受けて、上述した移動機構７のパネル駆動モーター７３、ファンモータ４、フラップモータ５０などを制御する。制御部８が指示を受ける運転モードには、通常の冷房・暖房運転、おやすみ運転、パワフル運転などがある。おやすみ運転は、通常の冷房・暖房運転よりもファンモータ４の駆動音や吸込み空気の風切り音などの運転音を低減させて、室内を静寂に保つ運転モードである。パワフル運転は、通常の冷房・暖房運転よりも冷房・暖房能力を増大させて室内の冷房・暖房を迅速に行う運転モードである。
制御部８は、通常の冷房・暖房運転モードの指令を受けた時は、ファンモータ４を制御して送風ファン３による出力を第１風量とすると共に、パネル駆動モーター７３を制御して正面パネル６を第１開状態に移行させて第１吸込み口２１を第１開度で開く。
また、制御部８は、おやすみ運転の指令を受けた時は、ファンモータ４を制御して、送風ファン３による出力を第１風量よりも小さい第２風量とすると共に、パネル駆動モーター７３を制御して正面パネル６を第２開状態に移行させて第１吸込み口２１を第２開度で開く。
【００３３】
さらに、制御部８は、パワフル運転の指令を受けた時は、ファンモータ４を制御して送風ファン３の出力を第１風量よりも大きい第３風量とすると共に、パネル駆動モーター７３を制御して正面パネル６を第２開状態として、第１吸込み口２１を第２開度で開く。
なお、制御部８は、運転停止の指令を受けた時は、ファンモータ４を制御して送風ファン３を止め、フラップモータを制御して吹出し口２０を閉じると共に、パネル駆動モーター７３を制御して正面パネル６を閉状態とする。
【００３４】
［リモコン］
リモコン９は、居住者等が室内機の運転内容を指示するための装置であり、居住者等はリモコン９上に設けられた複数の操作ボタンを用いて運転内容をリモコン９に入力することができる。リモコン９は、室内機１の電源のオン・オフ、通常暖房運転、通常冷房運転、おやすみ運転、パワフル運転などの運転モードの選択、温度設定、タイマー設定などの入力を受けて指令信号を赤外線通信などの通信手段によって制御部８へ送信する。
【００３５】
＜開閉動作＞
次に、正面パネル６の開閉動作について図８および図９に基づいて詳細に説明する。
空気調和機の室内機１の運転停止時には、水平フラップ５によって吹出し口２０が閉じられると共に正面パネル６が閉状態とされる。閉状態では、図８（ａ）に示すように、第１支持部材７１の第１スリット部７５の前端と第１支持爪７２１とが近接し、第１支持部材７１の第３スリット部７７の前端と第２支持爪７２２とが近接しており、正面パネル６は、図９（ａ）に示すように、第１吸込み口２１を覆うと共に水平フラップ５の上端を覆っている。この閉状態において、第１パネル部６１は、水平フラップ５の上端、水平フラップ５の上端と吹出し口２０との間の隙間Ｇおよび第１ケーシング面２３の吹出し口２０近傍を覆う。また、第２パネル部６２は、第２ケーシング面２４を覆う。正面パネル６は、屈曲した形状を有しており、閉状態では、第１ケーシング面２３および第２ケーシング面２４に沿って、第１ケーシング面２３および第２ケーシング面２４に近接した状態となる。これにより、室内機１の運転停止時に、水平フラップ５の上端から第１吸込み口２１までの部分が外部から隠蔽される。
【００３６】
正面パネル６が閉状態から第１開状態へ移行する場合、第１支持部材７１は、図８（ｂ）に示すように、第１スリット部７５の直線部分７５１の後端が第１支持爪７２１に近接し第３スリット部７７の直線部分７７１の後端が第２支持爪７２２に近接する方向に移動する。このとき、第１スリット部７５の直線部分７５１は第１支持爪７２１に対して摺動し、第３スリット部７７の直線部分７７１は第２支持爪７２２に対して摺動する。これにより、第１支持部材７１は、斜め前上方に平行移動し、正面パネル６は、図９（ｂ）に示すように、斜め前上方へと平行移動する（矢印Ａ１参照）。このとき、第１パネル部６１が第１ケーシング面２３に沿って斜め前上方へと移動すると共に第２パネル部６２が第２ケーシング面２４から離れるように斜め前上方へと移動することによって、正面パネル６は吹出し口２０および第１吸込み口２１を開く。このとき、第１パネル部６１は、下端が吹出し口２０の上端を越える位置まで移動して第１パネル部６１が吹出し口２０からの吹き出しを妨げないようにされると共に、第１パネル部６１が第２パネル部６２と第２ケーシング面２４との間の下部を塞ぐ。そして、吹出し口２０を閉じていた水平フラップ５が回動することによって、吹出し口２０が開かれる。また、この状態においては、図１０に示すように、第２パネル部６２と第２ケーシング面２４との間の上部は開かれており、第１吸込み口２１から取り込まれる空気が通ることができる。なお、第１開状態においては、第２パネル部６２と第２ケーシング面２４との間の両側部は第１支持部材７１によって塞がれており、この第１支持部材７１が目隠し板となって外部から第１吸込み口２１を通して室内機ケーシング２の内部が見えないようにされている。
【００３７】
さらに、正面パネル６が第１開状態から第２開状態へと移行する場合、第１支持部材７１は、図８（ｃ）に示すように、第１スリット部７５の湾曲部７５２が第１支持爪７２１に係止され、第３スリット部７７の湾曲部７７２が第２支持爪７２２に係止されるように移動する。これにより、第１支持部材７１は回転移動し、正面パネル６は、図９（ｂ）に示すように上端が前方へ倒れるように回転移動する（矢印Ａ２参照）。このとき、第１パネル部６１の下端は第１開状態における位置のままであり、正面パネル６が第１パネル部６１の下端を中心に回転することによって、第２パネル部６２の上端が前方へ向けて回転移動する。これにより、第２パネル部６２と第２ケーシング面２４との間の上部がさらに開かれ、第１吸込み口２１がさらに開かれて第２開度となる。
【００３８】
なお、正面パネル６が第２開状態から第１開状態へと移行する場合には、正面パネル６が上記とは逆に回転移動する。また、室内機１の運転停止時には、水平フラップ５が回動して吹出し口２０を閉じた後、正面パネル６が上記とは逆に平行移動して、水平フラップ５の上端から第１吸込み口２１までの部分が再び外部から隠蔽される。
【００３９】
＜特徴＞
（１）
この空気調和機の室内機１では、運転停止時において、水平フラップ５の上端から第１吸込み口２１までの部分が正面パネル６によって隠蔽される。このため、水平フラップ５を回動可能とするための比較的大きな隙間Ｇが外部から見え難くなる。これにより、この空気調和機の室内機１では、インテリア性が向上するなど美観が向上している。
また、上記のような正面パネル６が設けられていない場合にこのような隙間Ｇを正面に露出させないためには、隙間Ｇを小さくすることが必要となるが、この場合、水平フラップ５の回転方向に制限ができる。従って、この空気調和機の室内機１では、そのような水平フラップ５の回転方向の制限が緩和されている。
（４）
この空気調和機の室内機１では、おやすみ運転において第１吸込み口２１が第２開度で開かれると共に風量が第２風量に低減される。これによって、送風ファン３の回転数を抑えることができ、運転音を低減することができる。また、開度が第２開度に増大されることによって、空気の吸込みの圧力損失が低減される。これにより、運転音を低減すると共に開度変更前の空気調和能力を維持することができる。
【００４０】
（５）
この空気調和機の室内機１では、パワフル運転において第１吸込み口２１が第２開度で開かれると共に風量が第３風量に増大される。これにより、空気調和能力を増大させることができる。また、空気の吸込みの圧力損失が低減されることにより、第１開度でパワフル運転が行われる場合よりも低い送風ファン３の回転数や圧縮機の周波数によって、パワフル運転に必要な空気調和能力を出力することができる。これにより、運転音や消費電力の増大を防止することができる。
また、パワフル運転時には、正面パネル６が第２開状態となり正面パネル６が前方へ大きく迫出した状態となる。このため、パワフル運転が行われていることを居住者等に対して視覚的に訴求する効果が生じる。
【００４１】
（４）
この空気調和機の室内機１では、正面パネル６が屈曲した形状となっている。そして、運転を開始した時には吹出し口２０を覆っていた正面パネル６が吹出し口２０を開く位置まで斜め前上方へと直線的に移動することによって、吹出し口２０が開かれると共に第１パネル部６１が、第２パネル部６２と第２ケーシング面２４との間の下端を塞ぐ状態となる。また、正面パネル６が第１開状態から第２開状態へと移行して開度がさらに大きくされる時にも、正面パネル６が下端を中心に回転移動するため、第１パネル部６１が第２パネル部６２と第２ケーシング面２４との間の下端を塞ぐ状態が維持される。このため、第１開状態および第２開状態において、吹出し口２０から吹き出された空気が、第２パネル部６２と第２ケーシング面２４との間の下部を通って再び第１吸込み口２１から吸い込まれるショートサーキットの発生を防止することができる。これにより、ショートサーキットによる室内機の空気調和能力の低下や露付きを防止することができる。
また、ショートサーキットが防止されるため、正面パネル６を比較的大きく移動させることができ、第２パネル部６２と第２ケーシング面２４との間の上部に設けられる開口の面積を大きく確保することができる。
【００４２】
（５）
この空気調和機の室内機１では、上記のように２種類の形状が組み合わされたスリット部７５，７７の形状によって正面パネル６の軌跡が直線形状と円弧形状との２段階に変化する。このため、複雑な機構を構える必要が無く、一つのパネル駆動モーター７３をパルス制御することのみによって正面パネル６の開度調整が可能である。
【００４３】
（６）
空気調和機の室内機１の美観の観点からは、上述したように閉状態が最もインテリア性が高く、美観が高い。そして、第１吸込み口２１の開度が大きいほど、空気調和機の室内機１の外形が変化してインテリア性が低下する。このため、第２開状態が最も美観が低く、第１開状態は第２開状態よりも美観が高い。そして、この空気調和機の室内機１では、リモコン９から運転モードを指示することによって、正面パネル６の状態を閉状態、第１開状態、第２開状態から選択することができる。このため、居住者等は、運転モードを選択することによって、美観の観点から空気調和機の室内機１の外形を選択することも可能である。
【００４４】
＜他の実施形態＞
（１）
上記の実施形態におけるおやすみ運転において、制御部８は、ファンモータ４を制御して送風ファン３の出力を第１風量とすると共にパネル駆動モーター７３を制御して第１吸込み口２１を第２開度で開く制御を行ってもよい。この制御の場合、送風ファン３による風量は通常冷房・暖房運転と同じ第１風量であるが、第１吸込み口２１がより大きく開かれることにより、吸い込み空気の風切り音が低減され、運転音が低減される。
【００４５】
（２）
上記の実施形態では、円滑な開閉動作のために正面パネル６の下端の長さが短くなっており、水平フラップ５の下端近傍は正面パネル６によって覆われていない。しかし、美観向上の観点からは、正面パネル６が水平フラップ５の全体を覆うものであってもよい。
逆に、閉状態の正面パネル６は、美観の観点からは第１吸込み口２１および吹出し口２０の出来るだけ広い範囲を覆うものがよいが、必ずしも第１吸込み口２１および吹出し口２０の全てを完全に覆うものに限られず、第１吸込み口２１および吹出し口２０の少なくとも一部を覆うものであればよい。
また、閉状態の正面パネル６は、第１吹出し口２０を閉じた状態であるが、必ずしも完全に密封した状態に限られず、若干の開度で開いている場合を除外するものではない。
【００４６】
（４）
上記の実施形態においては第２開度は第１吸込み口２１の最大開度であるが、第２開度が最大開度ではなく、第１吸込み口２１がより大きな開度で開くことが可能であってもよい。例えば、他の運転モードやフィルターのメンテナンス時または正面パネル６の取り外し時などにおいて、第１吸込み口２１が第２開度よりもさらに大きく開かれるものであってもよい。また、第２開度が最大開度である場合でも、正面パネル６に若干の遊びが設けられており手動で第２開度よりもさらに大きく開くことができるものであってもよい。
【００４７】
（５）
上記の実施形態における運転モードと異なる他の運転モードがリモコン９から指示されてもよく、空気調和機の室内機１の美観の観点から選択される運転モードが備えられてもよい。例えば、居住者が睡眠中であって室内機１の外観が気にならない場合に選択される夜間運転モードや、居住者が室内に不在であって室内機１の外観が気にならない場合に室内の換気などを行う不在時運転モードなどが選択可能とされてもよい。このような運転モードが選択された場合は、正面パネル６が第２開状態とされる。居住者等が室内機１の外観を気にしない場合に選択される運転モードであるため、第１吸込み口２１を大きく開いてファンモータ４の回転数や圧縮機の周波数を低減させて消費電力を低減することができる。
【００４８】
（６）
上記の実施形態では、正面パネル６は閉状態から、第１開状態および第２開状態の２つの開状態に変化するが、３つ以上の開状態に変化するものであってもよく、第１吸込み口２１が３段階以上の段階で開かれるものであってもよい。
また、上記の実施形態では、パワフル運転時とおやすみ運転時とでは、第１吸込み口２１が同じ第２開度で開かれるが、異なる開度で開かれてもよい。
さらに、上記の実施形態では、同一の運転モードにおいては第１吸込み口２１は同じ開度で開かれているが、同一の運転モードにおいて第１吸込み口２１の開度が調整されてもよい。これにより、運転状況に応じたよりきめ細かい開度調整が可能である。
【００４９】
（７）
上記の実施形態では、正面パネル６は、平行移動と回転移動との２つの態様で移動するが、移動の態様はこれらに限られない。また、正面パネル６が閉状態から第１開状態へと移行する場合には正面パネル６の軌跡は厳密に直線状である必要はなく、若干湾曲した曲線状であってもよい。さらに、正面パネル６が第１開状態から第２開状態へと移行する場合には正面パネル６の軌跡は厳密に円弧状である必要はなく円弧状ではない曲線状であってもよい。
【００５０】
（８）
上記の実施形態では、リモコン９によって使用者が選択した運転モードに応じて第１吸込み口２１の開度が調整されているが、自動運転などのように制御部８によって自動的に選択された運転モードに応じて第１吸込み口２１の開度が調整されてもよい。例えば、空気調和機の室内機１の起動時と、起動後に所定時間が経過した安定時とで運転モードが自動的に変更され、変更された運転モードに応じて第１吸込み口２１の開度が変更されてもよい。
【００５１】
（９）
上記の実施形態では、運転モード毎に対応して第１吸込み口２１の開度が調整されているが、１つの運転モードの中で一連の動作として第１吸込み口２１の開度が変更されてもよい。例えば、ある運転モードにおいて、温度の変化、風量の変化、時間の経過などに応じて第１吸込み口２１の開度が変更されてもよい。
【産業上の利用可能性】
【００５２】
本発明は、空気の吸込み量の過不足の発生を抑えることのできる効果を有し、空気調和機の室内機として有用である。
【図面の簡単な説明】
【００５３】
【図１】空気調和機の室内機の正面図。
【図２】空気調和機の室内機の側面図。
【図３】図１におけるIII−III断面図。
【図４】空気調和機の室内機の外観斜視図。
【図５】正面パネルが取り外された空気調和機の室内機の正面図。
【図６】移動機構の構造を示す図。
【図７】空気調和機の室内機の制御ブロック図。
【図８】開閉動作時の移動機構の動作を示す図。
【図９】開閉動作時の正面パネルの動作を示す図。
【図１０】第１開状態における空気調和機の室内機の外観斜視図。
【符号の説明】
【００５４】
１      空気調和機の室内機
２      室内機ケーシング（ケーシング）
６      正面パネル（前面パネル）
７      移動機構
８      制御部
９      リモコン（指示装置）
２０    吹出し口
２１    第１吸込み口（吸込み口）
６１    第１パネル部
６２    第２パネル部
７１    第１支持部材
７２    第２支持部材
７３    パネル駆動モーター（モーター）
７５    第１スリット部（スリット部）
７７    第３スリット部（スリット部）
７２１  第１支持爪（支持爪）
７２２  第２支持爪（支持爪）